(57)【特許請求の範囲】
【請求項１】
サービングゲートウェイ（Ｓ−ＧＷ）を取得するための方法であって、ユーザ機器（ＵＥ）が、古い方の移動管理ノードから新しい方の移動管理ノードにハンドオーバするときに、
前記新しい方の移動管理ノードが、前記ＵＥのアクセス情報に従って、ドメイン名システム（ＤＮＳ）サーバにドメイン名解決要求を送信するステップと、
前記新しい方の移動管理ノードが、前記ドメイン名解決要求に従って、前記ＤＮＳサーバによって返されたデバイスのホスト名を受信するステップであり、前記デバイスは、データゲートウェイ又は前記古い方の移動管理ノードを備えるステップと、
前記新しい方の移動管理ノードが、少なくとも１つの新しい方の利用可能なＳ−ＧＷの少なくとも１つのホスト名を取得するステップと、
前記新しい方の移動管理ノードが、前記少なくとも１つの新しい方の利用可能なＳ−ＧＷから、前記デバイスに地理的トポロジー上最も近い新しい方のＳ−ＧＷを、前記デバイスの前記ホスト名における地理的トポロジー関係情報、及び前記少なくとも１つの新しい方の利用可能なＳ−ＧＷの前記少なくとも１つのホスト名における地理的トポロジー関係情報に従って選択するステップとを備える、方法。
【請求項２】
請求項１に記載の方法であって、
前記アクセス情報が前記ＵＥのアクセスポイント名（ＡＰＮ）を備え、
前記新しい方の移動管理ノードが、前記ＵＥのアクセス情報に従ってＤＮＳサーバにドメイン名解決要求を送信する前記ステップが、前記新しい方の移動管理ノードが、前記ＤＮＳサーバに前記ドメイン名解決要求を送信するステップであり、前記ドメイン名解決要求が前記ＡＰＮに従って形成されたドメイン名を備えるステップを備え、
前記新しい方の移動管理ノードが、前記ドメイン名解決要求に従って、前記ＤＮＳサーバによって返されたデバイスのホスト名を受信する前記ステップが、前記新しい方の移動管理ノードが、前記ドメイン名解決要求に従って、前記ＤＮＳサーバによって返されたデータゲートウェイのホスト名を受信するステップを備える、方法。
【請求項３】
請求項１に記載の方法であって、
前記アクセス情報が、前記ＵＥの古い方のロケーションエリア識別情報を備え、
前記新しい方の移動管理ノードが、前記ＵＥのアクセス情報に従ってＤＮＳサーバにドメイン名解決要求を送信する前記ステップは、前記新しい方の移動管理ノードが、前記ＤＮＳサーバに前記ドメイン名解決要求を送信するステップであり、前記ドメイン名解決要求は、前記古い方のロケーションエリア識別情報に従って形成された前記古い方の移動管理ノードのドメイン名を備えるステップを備え、
前記新しい方の移動管理ノードが、前記ドメイン名解決要求に従って、前記ＤＮＳサーバによって返されたデバイスのホスト名を受信する前記ステップは、前記新しい方の移動管理ノードが、前記ドメイン名解決要求に従って、前記ＤＮＳサーバによって返された前記古い方の移動管理ノードのホスト名を受信するステップを備える、方法。
【請求項４】
請求項１乃至３のいずれか一項に記載の方法であって、
前記古い方の移動管理ノードは、サービング汎用パケット無線サービスサポートノード（ＳＧＳＮ）又は移動管理エンティティ（ＭＭＥ）であり、前記新しい方の移動管理ノードは、ＳＧＳＮ又はＭＭＥである、方法。
【請求項５】
移動管理ノードであって、
ユーザ機器（ＵＥ）のアクセス情報に従って、ドメイン名システム（ＤＮＳ）サーバにドメイン名解決要求を送信するように構成された送信ユニットと、
前記ドメイン名解決要求に従って、前記ＤＮＳサーバによって返されたデバイスのホスト名を受信するように構成された受信ユニットであり、前記デバイスは、データゲートウェイ又は古い方の移動管理ノードを備える受信ユニットと、
少なくとも１つの新しい方の利用可能なサービングゲートウェイ（Ｓ−ＧＷ）の少なくとも１つのホスト名を取得するように構成された取得ユニットと、
前記少なくとも１つの新しい方の利用可能なＳ−ＧＷから、前記デバイスに地理的トポロジー上最も近い新しい方のＳ−ＧＷを、前記デバイスの前記ホスト名における地理的トポロジー関係情報、及び前記少なくとも１つの新しい方の利用可能なＳ−ＧＷの前記少なくとも１つのホスト名における地理的トポロジー関係情報に従って選択するように構成された選択ユニットとを備える、移動管理ノード。
【請求項６】
請求項５に記載の移動管理ノードであって、
前記アクセス情報が前記ＵＥのアクセスポイント名（ＡＰＮ）を備え、
前記送信ユニットが、前記ＤＮＳサーバに前記ドメイン名解決要求を送信するように特に構成され、前記ドメイン名解決要求が、前記ＡＰＮに従って形成されたドメイン名を備え、
前記受信ユニットが、前記ドメイン名解決要求に従って、前記ＤＮＳサーバによって返されたデータゲートウェイのホスト名を受信するように特に構成される、移動管理ノード。
【請求項７】
請求項５に記載の移動管理ノードであって、
前記アクセス情報が前記ＵＥの古い方のロケーションエリア識別情報を備え、
前記送信ユニットが、前記ＤＮＳサーバに前記ドメイン名解決要求を送信するように特に構成され、前記ドメイン名解決要求が、前記古い方のロケーションエリア識別情報に従って形成された古い方の移動管理ノードのドメイン名を備え、
前記受信ユニットが、前記ドメイン名解決要求に従って、前記ＤＮＳサーバによって返された前記古い方の移動管理ノードのホスト名を受信するように特に構成される、移動管理ノード。
【請求項８】
請求項５から７のいずれか一項に記載の移動管理ノードであって、前記移動管理ノードが、サービング汎用パケット無線サービスサポートノード（ＳＧＳＮ）、又は移動管理エンティティ（ＭＭＥ）である、移動管理ノード。
【請求項９】
サービングゲートウェイ（Ｓ−ＧＷ）を取得するためのシステムであって、請求項５から８のいずれか一項に記載の移動管理ノードと、ドメイン名システム（ＤＮＳ）サーバとを備える、システム。
【請求項１０】
請求項１乃至４いずれか一項に記載の方法をコンピュータに実行させるプログラム。
【発明の詳細な説明】
【技術分野】
【０００１】
本発明はモバイル通信の分野に属し、特に、サービングゲートウェイ（Ｓｅｒｖｉｎｇ  Ｇａｔｅｗａｙ：Ｓ−ＧＷ）、移動管理ノード、データゲートウェイを取得するための方法、及びシステムに属する。
【背景技術】
【０００２】
進化したパケットシステム（Ｅｖｏｌｖｅｄ  Ｐａｃｋｅｔ  Ｓｙｓｔｅｍ：ＥＰＳ）ネットワークにおいては、Ｓ４インターフェイスを介してＳ−ＧＷに接続されたサービングＧＰＲＳサポートノード（Ｓｅｒｖｉｎｇ  ＧＰＲＳ  Ｓｕｐｐｏｒｔ  Ｎｏｄｅ：ＳＧＳＮ）、又は移動管理エンティティ（Ｍｏｂｉｌｉｔｙ  Ｍａｎａｇｅｍｅｎｔ  Ｅｎｔｉｔｙ：ＭＭＥ）は、Ｓ４  ＳＧＳＮ／ＭＭＥと呼ばれる。
【０００３】
ユーザ機器（Ｕｓｅｒ  Ｅｑｕｉｐｍｅｎｔ：ＵＥ）がＥＰＳネットワーク内を移動する手順においては、パケットデータネットワークゲートウェイ（Ｐａｃｋｅｔ  Ｄａｔａ  Ｎｅｔｗｏｒｋｓ  Ｇａｔｅｗａｙ：Ｐ−ＧＷ）は、ＥＰＳネットワーク内のユーザデータのアンカーポイントとして変わらず、Ｓ−ＧＷはＵＥの位置が移動するにつれて変わり得る。ＵＥが、汎用パケット無線サービス（Ｇｅｎｅｒａｌ  Ｐａｃｋｅｔ  Ｒａｄｉｏ  Ｓｅｒｖｉｃｅ：ＧＰＲＳ）／ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）ネットワークから、ＥＰＳネットワークに移動する手順においては、ゲートウェイＧＰＲＳサポートノード（Ｇａｔｅｗａｙ  ＧＰＲＳ  Ｓｕｐｐｏｒｔ  Ｎｏｄｅ：ＧＧＳＮ）及びＰ−ＧＷは、ＧＰＲＳ／ＵＭＴＳネットワーク及びＥＰＳネットワーク内のユーザデータのアンカーポイントとして変わらず、ＵＥはＧＰＲＳ／ＵＭＴＳネットワークにおいてはＳ−ＧＷをまったく使用せず、ＥＰＳネットワークに移動後は、サービングゲートウェイ（Ｓｅｒｖｉｎｇ  Ｇａｔｅｗａｙ：Ｓ−ＧＷ）を使用する必要がある。２つの状況下で、新しい方の移動管理ノード（Ｓ４  ＳＧＳＮ／ＭＭＥ）は、ＵＥのために新しい方のＳ−ＧＷを選択した後に、ユーザサービスデータの送信時間遅延を増加させ得る。
【発明の概要】
【発明が解決しようとする課題】
【０００４】
本発明の実施形態は、新しい方の移動管理ノードがＵＥのために新しい方のＳ−ＧＷを選択した後に増加したユーザサービスデータ送信時間遅延を減少させるために使用される、サービングゲートウェイ、移動管理ノード、データゲートウェイを取得するための方法、及びシステムを提供する。
【課題を解決するための手段】
【０００５】
ある態様によれば、本発明の実施形態による、サービングゲートウェイＳ−ＧＷを取得するための方法は、ユーザ機器ＵＥが、古い方の移動管理ノードから新しい方の移動管理ノードにハンドオーバハンドオーバするときに、新しい方の移動管理ノードが、ＵＥのアクセス情報に従って、ドメイン名システムＤＮＳサーバにドメイン名解決要求を送信するステップであり、アクセス情報が、ＵＥのアクセスポイント名ＡＰＮ、又はＵＥの古い方のロケーションエリア識別情報を含む、送信するステップと、新しい方の移動管理ノードが、ドメイン名解決要求に従って、ＤＮＳサーバによって返されたデバイスのホスト名を受信するステップと、新しい方の移動管理ノードが、新しい方の利用可能なＳ−ＧＷのホスト名を取得するステップと、新しい方の移動管理ノードが、デバイスに地理的トポロジー上最も近い新しい方の利用可能なＳ−ＧＷを、デバイスのホスト名における地理的トポロジー関係を示す部分、及び新しい方の利用可能なＳ−ＧＷのホスト名における地理的トポロジー関係を示す部分に従って新しい方のＳ−ＧＷとして選択するステップとを含む。
【０００６】
別の態様によれば、本発明の実施形態による、サービングゲートウェイＳ−ＧＷを取得するための方法は、ユーザ機器ＵＥが、古い方の移動管理ノードから、新しい方の移動管理ノードにハンドオーバするときに、新しい方の移動管理ノードが、古い方の移動管理ノードによって送信された、ＵＥのデータゲートウェイのインターネットプロトコルＩＰアドレスを受信するステップと、新しい方のロケーションエリア識別情報に従って、データゲートウェイが、それ自体がＵＥにサービスを提供するためにＳ−ＧＷとしての機能を果たすことができるかどうかを決定するように、新しい方の移動管理ノードが、ＩＰアドレスに従って、データゲートウェイに決定要求を送信するステップであり、決定要求が、ＵＥの新しい方のロケーションエリア識別情報を搬送する、送信するステップと、新しい方の移動管理ノードが、データゲートウェイの応答メッセージを受信するステップと、応答メッセージが、データゲートウェイのＩＰアドレス及びリソース識別情報を含むとき、新しい方の移動管理ノードが、データゲートウェイを新しい方のＳ−ＧＷとして選択するステップとを含む。
【０００７】
さらに別の態様によれば、本発明の実施形態による、サービングゲートウェイＳ−ＧＷを取得するための方法は、ユーザ機器ＵＥが、古い方の移動管理ノードから、新しい方の移動管理ノードにハンドオーバするときに、Ｓ−ＧＷが、古い方の移動管理ノードによって送信された、ＵＥのデータゲートウェイのインターネットプロトコルＩＰアドレスを受信するステップであり、Ｓ−ＧＷは、新しい方の移動管理ノードによってドメイン名システムＤＮＳサーバから取得される、受信するステップと、新しい方のロケーションエリア識別情報に従って、データゲートウェイが、それ自体がＵＥにサービスを提供するためにＳ−ＧＷとしての機能を果たすことができるかどうかを決定するように、Ｓ−ＧＷが、データゲートウェイのＩＰアドレスに従って、データゲートウェイに決定要求を送信するステップであり、決定要求が、ＵＥの新しい方のロケーションエリア識別情報を搬送する、送信するステップと、Ｓ−ＧＷが、データゲートウェイの応答メッセージを受信するステップと、データゲートウェイの応答メッセージが、データゲートウェイのＩＰアドレス及びリソース識別情報を含むとき、新しい方の移動管理ノードがデータゲートウェイを新しい方のＳ−ＧＷとして選択するように、Ｓ−ＧＷが、データゲートウェイのＩＰアドレス及びリソース識別情報を新しい方の移動管理ノードに送信するステップとを含む。
【０００８】
さらに別の態様によれば、本発明の実施形態による、サービングゲートウェイＳ−ＧＷを取得するための方法は、ユーザ機器ＵＥが、古い方の移動管理ノードから、新しい方の移動管理ノードにハンドオーバするときに、データゲートウェイが、決定要求を受信するステップであり、決定要求が、ユーザ機器ＵＥの新しい方のロケーションエリア識別情報を搬送する、受信するステップと、新しい方のロケーションエリア識別情報に従って、データゲートウェイが、それ自体がＵＥにサービスを提供するためにＳ−ＧＷとしての機能を果たすことができるかどうかを決定するステップと、データゲートウェイがＵＥにサービスを提供するためにＳ−ＧＷとしての機能を果たすことができるとき、データゲートウェイが、データゲートウェイのＩＰアドレス及びリソース識別情報を含む応答メッセージを送信するステップとを含む。
【０００９】
さらに別の態様によれば、本発明の実施形態によって提供される移動管理ノードは、ユーザ機器ＵＥのアクセス情報に従って、ドメイン名システムＤＮＳサーバにドメイン名解決要求を送信するように構成された送信ユニットであり、アクセス情報が、ＵＥのアクセスポイント名ＡＰＮ、又はＵＥの古い方のロケーションエリア識別情報を含む、送信ユニットと、ドメイン名解決要求に従って、ＤＮＳサーバによって返されたデバイスのホスト名を受信するように構成された受信ユニットと、新しい方の利用可能なサービングゲートウェイＳ−ＧＷのホスト名を取得するように構成された取得ユニットと、デバイスに地理的トポロジー上最も近い新しい方の利用可能なＳ−ＧＷを、デバイスのホスト名における地理的トポロジー関係を示す部分、及び新しい方の利用可能なＳ−ＧＷのホスト名における地理的トポロジー関係を示す部分に従って新しい方のＳ−ＧＷとして選択するように構成された選択ユニットとを含む。
【００１０】
さらに別の態様によれば、本発明の実施形態によって提供される移動管理ノードは、古い方の移動管理ノードによって送信された、ユーザ機器ＵＥのデータゲートウェイのインターネットプロトコルＩＰアドレスを受信するように構成された第１の受信ユニットと、新しい方のロケーションエリア識別情報に従って、データゲートウェイが、それ自体がＵＥにサービスを提供するためにサービングゲートウェイＳ−ＧＷとしての機能を果たすことができるかどうかを決定するように、ＩＰアドレスに従って、データゲートウェイに決定要求を送信するように構成された送信ユニットであり、決定要求が、ＵＥの新しい方のロケーションエリア識別情報を搬送する、送信ユニットと、データゲートウェイの応答メッセージを受信するように構成された第２の受信ユニットと、応答メッセージが、データゲートウェイのＩＰアドレス及びリソース識別情報を含むとき、データゲートウェイを新しい方のＳ−ＧＷとして選択するように構成された選択ユニットとを含む。
【００１１】
さらに別の態様によれば、本発明の実施形態によって提供されるサービングゲートウェイは、古い方の移動管理ノードによって送信された、ユーザ機器ＵＥのデータゲートウェイのインターネットプロトコルＩＰアドレスを受信するように構成された第１の受信ユニットと、新しい方のロケーションエリア識別情報に従って、データゲートウェイが、それ自体がＵＥにサービスを提供するためにＳ−ＧＷとしての機能を果たすことができるかどうかを決定できるようにするために、データゲートウェイのＩＰアドレスに従って、データゲートウェイに決定要求を送信するように構成された第１の送信ユニットであり、決定要求が、ＵＥの新しい方のロケーションエリア識別情報を搬送する、第１の送信ユニットと、データゲートウェイの応答メッセージを受信するように構成された第２の受信ユニットと、データゲートウェイの応答メッセージが、データゲートウェイのＩＰアドレス及びリソース識別情報を含むとき、新しい方の移動管理ノードがデータゲートウェイを新しい方のＳ−ＧＷとして選択するように、データゲートウェイのＩＰアドレス及びリソース識別情報を新しい方の移動管理ノードに送信するように構成された第２の送信ユニットとを含む。
【００１２】
さらに別の態様によれば、本発明の実施形態によって提供されるデータゲートウェイは、決定要求を受信するように構成された受信ユニットであり、決定要求が、ユーザ機器ＵＥの新しい方のロケーションエリア識別情報を搬送する、受信ユニットと、新しい方のロケーションエリア識別情報に従って、データゲートウェイがＵＥにサービスを提供するためにＳ−ＧＷとしての機能を果たすことができるかどうかを決定するように構成された決定ユニットと、データゲートウェイがＵＥにサービスを提供するためにＳ−ＧＷとしての機能を果たすことができるとき、データゲートウェイのＩＰアドレス及びリソース識別情報を含む応答メッセージを送信するように構成された送信ユニットとを含む。
【００１３】
さらに別の態様によれば、本発明の実施形態による、サービングゲートウェイを取得するためのシステムは、前述の移動管理ノードと、前述のＤＳＮサーバとを含む。
【００１４】
さらに別の態様によれば、本発明の実施形態による、サービングゲートウェイを取得するためのシステムは、前述の移動管理ノードと、前述のデータゲートウェイとを含む。
【００１５】
さらに別の態様によれば、本発明の実施形態による、サービングゲートウェイを取得するためのシステムは、前述のサービングゲートウェイと、前述のデータゲートウェイとを含む。
【発明の効果】
【００１６】
本発明の実施形態による、サービングゲートウェイ、移動管理ノード、データゲートウェイを取得するための方法、及びシステムを通じて、物理的トポロジーにおいてデータゲートウェイに最も近い新しい方のサービングゲートウェイ、又は物理的トポロジーにおいて古い方の移動管理ノードに最も近い新しい方のサービングゲートウェイ、或いはデータゲートウェイとともに並置されるサービングゲートウェイが、新しい方のサービングゲートウェイとして選択され得るので、新しい方の移動管理ノードがＵＥのために新しい方のＳ−ＧＷを選択した後に増加するユーザサービスデータ送信時間遅延を減少させることができる。
【図面の簡単な説明】
【００１７】
【図１】本発明の実施形態による、Ｓ−ＧＷを取得するための方法のフローチャートである。
【図２】本発明の実施形態による、移動管理ノードの構造ブロック図である。
【図３】本発明の実施形態による、Ｓ−ＧＷを取得するための方法のフローチャートである。
【図４】本発明の実施形態による、Ｓ−ＧＷを取得するための方法のフローチャートである。
【図５】本発明の実施形態による、Ｓ−ＧＷを取得するための方法のフローチャートである。
【図６】本発明の実施形態による、移動管理ノードの構造ブロック図である。
【図７】本発明の実施形態による、サービングゲートウェイの構造ブロック図である。
【図８】本発明の実施形態による、データゲートウェイの構造ブロック図である。
【図９】本発明の実施形態による、サービングゲートウェイを取得するためのシステムの概略図である。
【図１０】本発明の実施形態による、サービングゲートウェイを取得するためのシステムの概略図である。
【図１１】本発明の実施形態による、サービングゲートウェイを取得するためのシステムの概略図である。
【発明を実施するための形態】
【００１８】
本発明の目的、技術的ソリューション、及び利点をより分かりやすくするために、以下で、添付の図面及び実施形態を参照して、本発明をさらに詳細に説明する。特定の実施形態は、本発明を説明するためだけに使用されており、本発明を限定することを意図するものではないことが理解できる。
【００１９】
説明の便宜上、本明細書に現れる以下の用語は以下のように規定されている点に留意されたい。
データゲートウェイ：Ｐ−ＧＷ、又は並置されたＧＧＳＮ／Ｐ−ＧＷを表す。
並置されたゲートウェイ：並置されたＳ−ＧＷ／Ｐ−ＧＷ、又は並置されたＳ−ＧＷ／ＧＧＳＮ／Ｐ−ＧＷを表す。
古い方の無線アクセスネットワーク：ＵＥが移動する前にＵＥが位置している、ＧＳＭ（登録商標）／ＥＤＧＥ無線アクセスネットワーク（ＧＳＭ／ＥＤＧＥ  Ｒａｄｉｏ  Ａｃｃｅｓｓ  Ｎｅｔｗｏｒｋ：ＧＥＲＡＮ）／ユニバーサル地上無線アクセスネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：ＵＴＲＡＮ）／進化型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：Ｅ−ＵＴＲＡＮ）のカバレージエリアを表す。
新しい方の無線アクセスネットワーク：ＵＥが移動した後にＵＥが位置している、ＧＥＲＡＮ／ＵＴＲＡＮ／Ｅ−ＵＴＲＡＮのカバレージエリアを表す。
古い方の移動管理ノード：古い方の無線アクセスネットワークにおいてＵＥによって使用される、Ｇｎ／Ｇｐ  ＳＧＳＮ、Ｓ４  ＳＧＳＮ、又はＭＭＥを表す。
新しい方の移動管理ノード：新しい方の無線アクセスネットワークにおいてＵＥによって使用される、Ｓ４  ＳＧＳＮ又はＭＭＥを表す。
古い方のサービングゲートウェイ（Ｓｅｒｖｉｎｇ  Ｇａｔｅｗａｙ：Ｓ−ＧＷ）：古い方の無線アクセスネットワークにおいてＵＥによって使用されるＳ−ＧＷを表す。
新しい方のＳ−ＧＷ：新しい方の無線アクセスネットワークにおいてＵＥによって使用されるＳ−ＧＷを表す。
【００２０】
図１は、本発明の実施形態による、Ｓ−ＧＷを取得するための方法の実装フローを示している。この実施形態では、フローの実行主体は新しい方の移動管理ノードであり、詳細な説明は以下のように行われる。
【００２１】
ユーザ機器ＵＥが、古い方の移動管理ノードから新しい方の移動管理ノードにハンドオーバするときに、
【００２２】
ステップＳ１０１：新しい方の移動管理ノードが、ＵＥのアクセス情報に従って、ドメイン名システムＤＮＳサーバにドメイン名解決要求を送信し、アクセス情報は、ＵＥのアクセスポイント名（Ａｃｃｅｓｓ  Ｐｏｉｎｔ  Ｎａｍｅ：ＡＰＮ）、又はＵＥの古い方のロケーションエリア識別情報を含む。
【００２３】
この実施形態において、ＵＥのアクセス要求を受信した後、新しい方の移動管理ノードは、古い方の移動管理ノードにおいてＵＥによって使用されるＡＰＮ、又は古い方の無線アクセスネットワークにおけるＵＥのロケーションエリア識別情報に従って、ＤＮＳサーバにドメイン名解決要求を送信し得る。ＤＮＳサーバは、ドメイン名解決要求に対して、対応するデバイスの照会されたホスト名を新しい方の移動管理ノードに返すように、受信されたドメイン名解決要求に従って、対応するネーミング権限ポインタ（Ｎａｍｉｎｇ  Ａｕｔｈｏｒｉｔｙ  Ｐｏｉｎｔｅｒ：ＮＡＰＴＲ）レコードのＤＮＳクエリを実行する。ＵＥのアクセス情報は、古い方の移動管理ノードによって、新しい方の移動管理ノードに送信され得、また、ホーム加入者サーバ（Ｈｏｍｅ  Ｓｕｂｓｃｒｉｂｅｒ  Ｓｅｒｖｅｒ：ＨＳＳ）を通じて古い方の移動管理ノードによって取得され得る。
【００２４】
ステップＳ１０２：新しい方の移動管理ノードが、ドメイン名解決要求に従って、ＤＮＳサーバによって返されたデバイスのホスト名を受信する。
【００２５】
本発明の実施形態のシナリオとして、アクセス情報がＡＰＮを含むとき、ステップＳ１０１は具体的に：新しい方の移動管理ノードが、ＤＮＳサーバにドメイン名解決要求を送信し、ドメイン名解決要求は、ＡＰＮに従って形成されたドメイン名を含む。
【００２６】
それに対応して、ステップＳ１０２は具体的に：新しい方の移動管理ノードが、ドメイン名解決要求に従って、ＤＮＳサーバによって返されたデータゲートウェイのホスト名を受信する。
【００２７】
上記シナリオでは、複数のＡＰＮが存在するとき、新しい方の移動管理ノードが、古い方の移動管理ノードによって送信された各ＡＰＮを形成して別々にドメイン名にして、各ドメイン名に従って、ドメイン名解決要求をＤＮＳサーバに別々に送信する。ドメイン名解決要求を受信した後、ＤＮＳサーバは、ＮＡＰＴＲレコードのＤＮＳクエリを実行し、各ドメイン名解決要求に対して、データゲートウェイの照会されたホスト名を新しい方の移動管理ノードに返す。
【００２８】
本発明の実施形態の別のシナリオとして、アクセス情報がロケーションエリア識別情報を含むとき、ステップＳ１０１は具体的に：新しい方の移動管理ノードが、ＤＮＳサーバにドメイン名解決要求を送信し、ドメイン名解決要求は、古い方のロケーションエリア識別情報に従って形成された、古い方の移動管理ノードのドメイン名を含む。
【００２９】
それに対応して、ステップＳ１０２は具体的に、新しい方の移動管理ノードが、ドメイン名解決要求に従って、ＤＮＳサーバによって返された古い方の移動管理ノードのホスト名を受信する。
【００３０】
このシナリオでは、ロケーションエリア識別情報は、これに限定されないが、トラッキングエリア識別情報（Ｔｒａｃｋｉｎｇ  Ａｒｅａ  Ｉｄｅｎｔｉｔｙ：ＴＡＩ）、ルーティングエリア識別情報（Ｒｏｕｔｉｎ  Ａｒｅａ  Ｉｄｅｎｔｉｔｙ：ＲＡＩ）、移動管理エンティティ識別情報（Ｍｏｂｉｌｉｔｙ  Ｍａｎａｇｅｍｅｎｔ  Ｅｎｔｉｔｙ  Ｉｄｅｎｔｉｔｙ：ＭＭＥ  ＩＤ）、無線ネットワークコントローラ識別情報（Ｒａｄｉｏ  Ｎｅｔｗｏｒｋ  Ｃｏｎｔｒｏｌｌｅｒ  Ｉｄｅｎｔｉｔｙ：ＲＮＣ  ＩＤ）又は進化型ネットワーク基地局識別情報（Ｅ−ＵＴＲＡＮ  ＮｏｄｅＢ  Ｉｄｅｎｔｉｔｙ：ｅＮｏｄｅＢ  ＩＤ）を含む。
【００３１】
ステップＳ１０３：新しい方の移動管理ノードが、新しい方の利用可能なＳ−ＧＷのホスト名を取得する。
【００３２】
例示的に、ステップＳ１０３の特定の実装形態は、新しい方の移動管理ノードが、新しい方の無線アクセスネットワークにおけるＵＥのロケーションエリア識別情報に従ってドメイン名を形成し、ＤＮＳサーバにドメイン名解決要求を送信し、ドメイン名解決要求の受信後、ＤＮＳサーバが、ＮＡＰＴＲレコードのＤＮＳクエリを実行し、ＵＥの利用可能なＳ−ＧＷの照会されたホスト名を新しい方の移動管理ノードに返すことであり得る。
【００３３】
ステップＳ１０４：新しい方の移動管理ノードが、地理的トポロジー上デバイスに最も近い新しい方の利用可能なＳ−ＧＷを、デバイスのホスト名における地理的トポロジー関係を示す部分、及び新しい方の利用可能なＳ−ＧＷのホスト名における地理的なトポロジー関係を示す部分に従って新しい方のＳ−ＧＷとして選択する。
【００３４】
本発明の実施形態のシナリオとして、アクセス情報がＡＰＮを含むとき、ステップＳ１０４は具体的に：新しい方の移動管理ノードが、地理的トポロジー上データゲートウェイに最も近い新しい方の利用可能なＳ−ＧＷを、データゲートウェイのホスト名における地理的トポロジー関係を示す部分、及び新しい方の利用可能なＳ−ＧＷのホスト名における地理的トポロジー関係を示す部分に従って新しい方のＳ−ＧＷとして選択する。
【００３５】
上記シナリオでは、アクセス情報が複数のＡＰＮを含み、また、新しい方の移動管理ノードが、複数のＡＰＮに従ってＤＮＳサーバから複数のデータゲートウェイのホスト名をそれぞれ取得するとき、新しい方の移動管理ノードは、データゲートウェイのホスト名をランダムに選択し、地理的トポロジー上最も近い新しい方の利用可能なＳ−ＧＷを、データゲートウェイの選択されたホスト名に従って新しい方のＳ−ＧＷとして選択し得る。
【００３６】
本発明の実施形態の別のシナリオとして、アクセス情報がロケーションエリア識別情報を含むとき、ステップＳ１０４は具体的に：新しい方の移動管理ノードが、地理的トポロジー上古い方の移動管理ノードに最も近い新しい方の利用可能なＳ−ＧＷを、古い方の移動管理ノードのホスト名における地理的トポロジー関係を示す部分、及び新しい方の利用可能なＳ−ＧＷのホスト名における地理的トポロジー関係を示す部分に従って新しい方のＳ−ＧＷとして選択する。
【００３７】
例示的に、第３世代パートナーシッププロジェクト（ｔｈｅ  ３ｒｄ  Ｇｅｎｅｒａｔｉｏｎ  Ｐａｒｔｎｅｒ  Ｐｒｏｊｅｃｔ：３ＧＰＰ）プロトコルにおいて、各デバイスはいくつかのホスト名（Ｈｏｓｔｎａｍｅ）を有し、各ホスト名は３つのラベルで構成されており、そのフォーマットは以下の通りである。
＜“ｔｏｐｏｎ”｜“ｔｏｐｏｆｆ”＞＜ｓｉｎｇｌｅ−ｌａｂｅｌ−ｉｎｔｅｒｆａｃｅ−ｎａｍｅ＞＜ｃａｎｏｎｉｃａｌ−ｎｏｄｅ−ｎａｍｅ＞
上記において、
“ｔｏｐｏｎ”｜“ｔｏｐｏｆｆ”は、ホスト名が地理的トポロジー情報を含むかどうかを示しており、“ｔｏｐｏｎ”は、ホスト名が地理的トポロジー情報を含むことを表し、
ｓｉｎｇｌｅ−ｌａｂｅｌ−ｉｎｔｅｒｆａｃｅ−ｎａｍｅは、インターフェイス名であり、識別情報としてのみ使用され、実際の物理インターフェイスと一致することもあり得、一致しないこともあり得、ネットワークノードは複数のインターフェイスを有し得、また、
ｃａｎｏｎｉｃａｌ−ｎｏｄｅ−ｎａｍｅは正規の（ｃａｎｏｎｉｃａｌ）ノード名であり、ネットワークノードを識別するために使用され、異なるネットワークノード間の地理的トポロジー関係を具現化し得、比較は最後のドット名から始まり、同じドット名の数がより多いほど、２つのネットワークノード間の地理的トポロジー関係がより近いことを表す。
【００３８】
ネットワークノードはｃａｎｏｎｉｃａｌ−ｎｏｄｅ−ｎａｍｅだけを有するので、２つのデバイスが同じネットワークノードに属するかどうかは、２つのデバイスのホスト名のｃａｎｏｎｉｃａｌ−ｎｏｄｅ−ｎａｍｅが完全に同じかどうかを比較することによって決定することができ、又は、地理的トポロジー関係上の２つのデバイス間の距離は、２つのホスト名のｃａｎｏｎｉｃａｌ−ｎｏｄｅ−ｎａｍｅの類似度合を決定することによって決定し得、決定手順は“ｔｏｐｏｎ”｜“ｔｏｐｏｆｆ”及びｓｉｎｇｌｅ−ｌａｂｅｌ−ｉｎｔｅｒｆａｃｅ−ｎａｍｅのラベルを考慮する必要はない。
【００３９】
当業者は、デバイスのホスト名の定義は、技術の発展とともに発展し得、デバイスの地理的トポロジー関係を示す部分の構造、ロケーション、長さ、及び定義は変化し、また、デバイスのホスト名の上記の例は、本発明の実施形態にいかなる制限も課さないことを知っているべきである。
【００４０】
図１に示される実施形態においては、データゲートウェイのホスト名、又はＵＥの古い方の移動管理ノードは、アクセス情報を通じて照会され、ＵＥのデータゲートウェイ又はＵＥの古い方の移動管理ノードに、地理的トポロジー上最も近いサービングゲートウェイは、ホスト名を通じて新しい方のサービングゲートウェイとして選択され、したがって、より遠い地理的なトポロジー距離を有するサービングゲートウェイを新しい方のサービングゲートウェイとして選択するために生じるユーザサービスデータ送信時間遅延の増加を減少させることができる。
【００４１】
図２は、本発明の実施形態によって提供される移動管理ノードの構造ブロック図を示しており、移動管理ノードは、ＧＥＲＡＮ、ＵＴＲＡＮ、又はＥ−ＵＴＲＡＮなどの通信システム内に配置されたＳＧＳＮ又はＭＭＥであり得、新しい方の移動管理ノードとしての機能を果たし、本発明の実施形態の図１に示される方法を実行するように構成されている。
【００４２】
図２を参照すると、移動管理ノードは、
ユーザ機器ＵＥのアクセス情報に従って、ドメイン名システムＤＮＳサーバにドメイン名解決要求を送信するように構成された送信ユニット２１であり、アクセス情報が、ＵＥのアクセスポイント名ＡＰＮ、又はＵＥの古い方のロケーションエリア識別情報を含む、送信ユニット２１と、
ドメイン名解決要求に従って、ＤＮＳサーバによって返されたデバイスのホスト名を受信するように構成された受信ユニット２２と、
新しい方の利用可能なサービングゲートウェイＳ−ＧＷのホスト名を取得するように構成された取得ユニット２３と、
地理的トポロジー上デバイスに最も近い新しい方の利用可能なＳ−ＧＷを、デバイスのホスト名にける地理的トポロジー関係を示す部分、及び新しい方の利用可能なＳ−ＧＷのホスト名における地理的トポロジー関係を示す部分に従って新しい方のＳ−ＧＷとして選択するように構成された選択ユニット２４とを含む。
【００４３】
本発明の実施形態の適用シナリオとして、アクセス情報がＵＥのＡＰＮを含むとき、送信ユニット２１は、ＤＮＳサーバにドメイン名解決要求を送信するように特に構成され、ドメイン名解決要求は、ＡＰＮに従って形成されたドメイン名を含む。それに対応して、受信ユニット２２は、ドメイン名解決要求に従って、ＤＮＳサーバによって返されたデータゲートウェイのホスト名を受信するように特に構成される。
【００４４】
本発明の実施形態の別のシナリオとして、アクセス情報がＵＥの古い方のロケーションエリア識別情報を含むとき、送信ユニット２１は、ＤＮＳサーバにドメイン名解決要求を送信するように特に構成され、ドメイン名解決要求は、古い方のロケーションエリア識別情報に従って形成された古い方の移動管理ノードのドメイン名を含む。それに対応して、受信ユニット２２は、ドメイン名解決要求に従って、ＤＮＳサーバによって返された古い方の移動管理ノードのホスト名を受信するように特に構成される。
【００４５】
本発明の実施形態によって提供されるモビリティ管理ノードを通じて、データゲートウェイのホスト名、又はＵＥの古い方の移動管理ノードを、アクセス情報を通じて照会することができ、ＵＥのデータゲートウェイ又はＵＥの古い方の移動管理ノードに、地理的トポロジー上最も近いサービングゲートウェイを、ホスト名を通じて新しい方のサービングゲートウェイとして選択することができ、したがって、より遠い地理的なトポロジー距離を有するサービングゲートウェイを新しい方のサービングゲートウェイとして選択するために生じるユーザサービスデータ送信時間遅延の増加を減少させることができる。
【００４６】
図３は、本発明のさらに別の実施形態に従ってＳ−ＧＷを取得するための方法の実装フローを示しており、詳細な説明は以下の通りである。
【００４７】
ユーザ機器ＵＥが、古い方の移動管理ノードから新しい方の移動管理ノードにハンドオーバするときに、
【００４８】
ステップＳ３０１：新しい方の移動管理ノードが、古い方の移動管理ノードによって送信されたＵＥのデータゲートウェイのインターネットプロトコル（Ｉｎｔｅｒｎｅｔ  Ｐｒｏｔｏｃｏｌ：ＩＰ）アドレスを受信する。
【００４９】
ステップＳ３０２：新しい方のロケーションエリア識別情報に従って、データゲートウェイが、それ自体がＵＥにサービスを提供するためにＳ−ＧＷとしての機能を果たすことができるかどうかを決定できるようにするために、新しい方の移動管理ノードが、ＩＰアドレスに従って、データゲートウェイに決定要求を送信し、決定要求は、ＵＥの新しい方のロケーションエリア識別情報を搬送する。
【００５０】
本発明の実施形態の特定の実装形態として、決定要求はセッション作成要求（Ｃｒｅａｔｅ  Ｓｅｓｓｉｏｎ  Ｒｅｑｕｅｓｔ）であり得る。ロケーションエリア識別情報は、これに限定されないが、ＵＥのＴＡＩ、ＲＡＩ、セル識別情報、ｅＮｏｄｅＢ  ＩＤ、ＲＮＣ  ＩＤ、ｅＮｏｄｅＢ  ＩＰアドレス、又はＲＮＣ  ＩＰアドレスを含む。
【００５１】
当業者は、データゲートウェイは、ＵＥのロケーションエリア識別情報に従って、ＵＥがデータゲートウェイのサービス可能なエリアに位置しているかどうかを決定し、それによって、データゲートウェイがＵＥにサービスを提供するためにＳ−ＧＷとしての機能を果たすことができるかどうかを決定することができることを知っているべきである。
【００５２】
ステップＳ３０３：新しい方の移動管理ノードが、データゲートウェイの応答メッセージを受信する。
【００５３】
本発明の実施形態の特定の実装形態として、応答メッセージは、データゲートウェイによって新しい方の移動管理ノードに送信されたセッション作成応答（Ｃｒｅａｔｅ  Ｓｅｓｓｉｏｎ  Ｒｅｓｐｏｎｓｅ）であり得る。
【００５４】
ステップＳ３０４：応答メッセージが、データゲートウェイのＩＰアドレス及びリソース識別情報を含むとき、新しい方の移動管理ノードは、データゲートウェイを新しい方のＳ−ＧＷとして選択する。
【００５５】
例示的に、データゲートウェイのリソース識別子は、これに限定されないが、トンネルエンドポイント識別子（Ｔｕｎｎｅｌ  Ｅｎｄｐｏｉｎｔ  Ｉｄｅｎｔｉｆｉｅｒ：ＴＥＩＤ）、又は完全修飾ＰＤＮ接続セット識別子（Ｆｕｌｌｙ  Ｑｕａｌｉｆｉｅｄ  ＰＤＮ  Ｃｏｎｎｅｃｔｉｏｎ  Ｓｅｔ  Ｉｄｅｎｔｉｆｉｅｒ：ＦＱ−ＣＳＩＤ）を含む。
【００５６】
代替的に、ステップＳ３０５：応答メッセージがデータゲートウェイのＩＰアドレス又はリソース識別情報を含まないとき、新しい方の移動管理ノードが新しい方のＳ−ＧＷをドメイン名システムＤＮＳサーバから取得する。
【００５７】
本発明の実施形態に従ってサービングゲートウェイを取得するための方法においては、ＵＥにＳ−ＧＷサービスを提供することができるＵＥのデータゲートウェイが、新しい方のＳ−ＧＷとして選択されるように、すなわち、並置されたゲートウェイを新しい方のＳ−ＧＷとして選択するために、ＵＥのデータゲートウェイが、ＵＥにサービスを提供するためにＳ−ＧＷとしての機能を果たすことができるかどうかが決定され、より遠い地理的なトポロジー距離を有するサービングゲートウェイを新しい方のサービングゲートウェイとして選択するために生じるユーザサービスデータ送信時間遅延の増加を減少させることができる。
【００５８】
図４は、本発明の別の実施形態に従ってＳ−ＧＷを取得するための方法の実装フローを示している。本発明の図３に示される実施形態と異なり、この実施形態の実行主体は、新しい方の移動管理ノードによってＤＮＳサーバから取得されたＳ−ＧＷであり、詳細な説明は以下の通りである。
【００５９】
ステップＳ４０１：Ｓ−ＧＷが、古い方の移動管理ノードによって送信された、ＵＥのデータゲートウェイのインターネットプロトコルＩＰアドレスを受信する。
【００６０】
本発明の実施形態の特定の実装形態として、データゲートウェイのＩＰアドレスは、古い方の移動管理ノードによって新しい方の移動管理ノードに送信され、また新しい方の移動管理ノードによって、セッション作成要求メッセージを通じてＳ−ＧＷに送信される。
【００６１】
ステップＳ４０２：新しい方のロケーションエリア識別情報に従って、データゲートウェイが、それ自体がＵＥにサービスを提供するためにＳ−ＧＷとしての機能を果たすことができるかどうかを決定するように、Ｓ−ＧＷは、データゲートウェイのＩＰアドレスに従って、データゲートウェイに決定要求を送信し、決定要求は、ＵＥの新しい方のロケーションエリア識別情報を搬送する。
【００６２】
本発明の実施形態の特定の実装形態として、決定要求は、ベアラ修正要求（Ｍｏｄｉｆｙ  Ｂｅａｒｅｒ  Ｒｅｑｕｅｓｔ）であり得る。
【００６３】
ステップＳ４０３：Ｓ−ＧＷが、データゲートウェイの応答メッセージを受信する。
【００６４】
本発明の実施形態の特定の実装形態として、応答メッセージはベアラ修正応答メッセージ（Ｍｏｄｉｆｙ  Ｂｅａｒｅｒ  Ｒｅｓｐｏｎｓｅ）であり得る。
【００６５】
ステップＳ４０４：データゲートウェイの応答メッセージが、データゲートウェイのＩＰアドレス及びリソース識別情報を含むとき、新しい方の移動管理ノードがデータゲートウェイを新しい方のＳ−ＧＷとして選択するように、Ｓ−ＧＷは、データゲートウェイのＩＰアドレス及びリソース識別情報を新しい方の移動管理ノードに送信する。
【００６６】
例示的に、データゲートウェイのリソース識別子は、これに限定されないが、トンネルエンドポイント識別子（Ｔｕｎｎｅｌ  Ｅｎｄｐｏｉｎｔ  Ｉｄｅｎｔｉｆｉｅｒ：ＴＥＩＤ）、又は完全修飾ＰＤＮ接続セット識別子（Ｆｕｌｌｙ  Ｑｕａｌｉｆｉｅｄ  ＰＤＮ  Ｃｏｎｎｅｃｔｉｏｎ  Ｓｅｔ  Ｉｄｅｎｔｉｆｉｅｒ：ＦＱ−ＣＳＩＤ）を含む。
【００６７】
代替的に、ステップＳ４０５：応答メッセージが、データゲートウェイのＩＰアドレス又はリソース識別情報を含まないとき、新しい方の移動管理ノードがＳ−ＧＷを新しい方のＳ−ＧＷとして選択するように、Ｓ−ＧＷは、それ自体のＩＰアドレス及びリソース識別情報を新しい方の移動管理ノードに送信する。
【００６８】
図４に示される実施形態の関連する実装形態の原理は、本発明の図３に示される実施形態の原理と同じであり、違いは、図３に示される実施形態においては、どのデータゲートウェイもＵＥにサービスを提供するためにＳ−ＧＷとしての機能を果たすことができないと学んだ後、新しい方の移動管理ノードが、ＤＮＳサーバにドメイン名解決要求を送信することによって、新しい方のＳ−ＧＷを取得するのに対して、図４に示される実施形態においては、新しい方の移動管理ノードが、ＤＮＳサーバにドメイン名解決要求を送信することによって、まず一時的なＳ−ＧＷを取得し、どのデータゲートウェイもＵＥにサービスを提供するためにＳ−ＧＷとしての機能を果たすことができないとき、一時的なＳ−ＧＷがＵＥの新しい方のＳ−ＧＷとしての機能を果たすことである。
【００６９】
図４に示される実施形態に従ってサービングゲートウェイを取得するための方法では、ＵＥにＳ−ＧＷサービスを提供することができるＵＥのデータゲートウェイが新しい方のＳ−ＧＷとして選択されるように、すなわち、並置されたゲートウェイを新しい方のＳ−ＧＷとして選択するために、ＵＥのデータゲートウェイが、ＵＥのサービスを提供するためにＳ−ＧＷとしての機能を果たすことができるかどうかが決定され、より遠い地理的なトポロジー距離を有するサービングゲートウェイを新しい方のサービングゲートウェイとして選択するために生じるユーザサービスデータ送信時間遅延の増加を減少させることができる。さらに、まず一時的なＳ−ＧＷを選択して、次いでデータゲートウェイがＵＥにサービスを提供するためにＳ−ＧＷとしての機能を果たすことができるかどうかを決定することによって、データゲートウェイがＵＥにサービスを提供するためにＳ−ＧＷとしての機能を果たすことができないとき、一時的なＳ−ＧＷを新しい方のＳ−ＧＷとして直接選択することができ、それによって、シグナリング処理を簡単にし、新しいＳ−ＧＷを新しい方のＳ−ＧＷとしてＤＮＳシステムから再び取得することを回避する。
【００７０】
図５に示されるＳ−ＧＷを取得するための方法の実装フローの実行主体はデータゲートウェイであり、フローは、図３又は図４に別々に示される実施形態の方法のフローに対応しており、詳細な説明は以下の通りである。
【００７１】
ステップＳ５０１：データゲートウェイが決定要求を受信し、決定要求は、ユーザ機器ＵＥの新しい方のロケーションエリア識別情報を搬送する。
【００７２】
本発明の実施形態の特定の実装形態として、データゲートウェイによって受信される決定要求は、本発明の図３に示される実施形態における新しい方の移動管理ノードからであり得、又は、図４に示される実施形態におけるＳ−ＧＷからであり得る。
【００７３】
ステップＳ５０２：新しい方のロケーションエリア識別情報に従って、データゲートウェイが、それ自体がＵＥにサービスを提供するためにＳ−ＧＷとしての機能を果たすことができるかどうかを決定する。
【００７４】
ステップＳ５０３：データゲートウェイが、ＵＥにサービスを提供するためにＳ−ＧＷとしての機能を果たすことができるとき、データゲートウェイがＵＥの新しい方のＳ−ＧＷとして選択されることを示すために、データゲートウェイが、ゲートウェイのＩＰアドレス及びリソース識別情報を含む応答メッセージを送信する。
【００７５】
代替的に、ステップＳ５０４：データゲートウェイが、ＵＥにサービスを提供するためにＳ−ＧＷとしての機能を果たすことができないとき、データゲートウェイが、ＰＤＮゲートウェイがＵＥにサービスを提供するためにＳ−ＧＷとしての機能を果たすことができないことを示す応答メッセージを送信する。
【００７６】
図５に示される実施形態のＳ−ＧＷを取得するための方法の関連する原理は、図３又は図４に示される実施形態における原理と同じである。ＵＥにＳ−ＧＷサービスを提供することができるＵＥのデータゲートウェイが新しい方のＳ−ＧＷとして選択されるように、すなわち、並置されたゲートウェイを新しい方のＳ−ＧＷとして選択するために、ＵＥのデータゲートウェイが、それ自体がＵＥにサービスを提供するためにＳ−ＧＷとしての機能を果たすことができるかどうかを決定し、より遠い地理的なトポロジー距離を有するサービングゲートウェイを新しい方のサービングゲートウェイとして選択するために生じるユーザサービスデータ送信時間遅延の増加を減少させることができる。
【００７７】
図６は、本発明の実施形態によって提供される移動管理ノードの構造ブロック図を示している。図２は、本発明の実施形態によって提供される移動管理ノードの構造ブロック図を示しており、移動管理ノードは、ＧＥＲＡＮ、ＵＴＲＡＮ、又はＥ−ＵＴＲＡＮなどの通信システム内に配置されたＳＧＳＮ又はＭＭＥであり得、新しい方の移動管理ノードとしての機能を果たし、本発明の実施形態の図３に示される方法を実行するように構成されている。
【００７８】
図６を参照すると、移動管理ノードは、
古い方の移動管理ノードによって送信された、ユーザ機器ＵＥのデータゲートウェイのインターネットプロトコルＩＰアドレスを受信するように構成された第１の受信ユニット６１と、
新しい方のロケーションエリア識別情報に従って、データゲートウェイが、それ自体がＵＥにサービスを提供するためにサービングゲートウェイＳ−ＧＷとしての機能を果たすことができるかどうかを決定できるようにするために、ＩＰアドレスに従って、データゲートウェイに決定要求を送信するように構成された送信ユニット６２であり、決定要求が、ＵＥの新しい方のロケーションエリア識別情報を搬送する、送信ユニット６２と、
データゲートウェイの応答メッセージを受信するように構成された第２の受信ユニット６３と、
応答メッセージが、データゲートウェイのＩＰアドレス及びリソース識別情報を含むとき、データゲートウェイを新しい方のＳ−ＧＷとして選択するように構成された選択ユニット６４とを含む。
【００７９】
代替的に、選択ユニット６４は、応答メッセージがデータゲートウェイのＩＰアドレス又はリソース識別情報を含まないとき、新しい方のＳ−ＧＷをドメイン名システムＤＮＳサーバから取得するようにさらに構成される。
【００８０】
図６に示される移動管理ノードの動作方法は、図３に示される実施形態の動作方法と同じであり、ここではさらなる詳細は記載しない。図６に示される移動管理ノードにおいては、ＵＥにＳ−ＧＷサービスを提供することができるＵＥのデータゲートウェイが新しい方のＳ−ＧＷとして選択されるように、すなわち、並置されたゲートウェイを新しい方のＳ−ＧＷとして選択するために、ＵＥのデータゲートウェイが、ＵＥにサービスを提供するためにＳ−ＧＷとしての機能を果たすことができるかどうかが決定され、より遠い地理的なトポロジー距離を有するサービングゲートウェイを新しい方のサービングゲートウェイとして選択するために生じるユーザサービスデータ送信時間遅延の増加を減少させることができる。
【００８１】
図７は、本発明の実施形態によって提供されるサービングゲートウェイの構造ブロック図を示している。サービングゲートウェイは、ＧＥＲＡＮ、ＵＴＲＡＮ、又はＥ−ＵＴＲＡＮなどの通信システムに配置され得、図４に示される方法を実行するように構成され得る。
【００８２】
図７を参照すると、サービングゲートウェイは、
古い方の移動管理ノードによって送信された、ユーザ機器ＵＥのデータゲートウェイのインターネットプロトコルＩＰアドレスを受信するように構成された第１の受信ユニット７１と、
新しい方のロケーションエリア識別情報に従って、データゲートウェイが、それ自体がＵＥにサービスを提供するためにＳ−ＧＷとしての機能を果たすことができるかどうかを決定するように、データゲートウェイのＩＰアドレスに従って、データゲートウェイに決定要求を送信するように構成された第１の送信ユニット７２であり、決定要求は、ＵＥの新しい方のロケーションエリア識別情報を搬送する、第１の送信ユニット７２と、
データゲートウェイの応答メッセージを受信するように構成された第２の受信ユニット７３と、
データゲートウェイの応答メッセージが、データゲートウェイのＩＰアドレス及びリソース識別情報を含むとき、新しい方の移動管理ノードがデータゲートウェイを新しい方のＳ−ＧＷとして選択するように、データゲートウェイのＩＰアドレス及びリソース識別情報を新しい方の移動管理ノードに送信するように構成された第２の送信ユニット７４とを含む。
【００８３】
代替的に、第２の送信ユニット７４は、応答メッセージが、データゲートウェイのＩＰアドレス又はリソース識別情報を含まないとき、新しい方の移動管理ノードがＳ−ＧＷを新しい方のＳ−ＧＷとして選択するように、Ｓ−ＧＷのＩＰアドレス及びリソース識別情報を新しい方の移動管理ノードに送信するようにさらに構成される。
【００８４】
図７に示されるサービングゲートウェイの動作方法は、図４に示される実施形態の動作方法と同じであり、ここではさらなる詳細は記載しない。図７に示される実施形態によって提供されるサービングゲートウェイでは、ＵＥにＳ−ＧＷサービスを提供することができるＵＥのデータゲートウェイが新しい方のＳ−ＧＷとして選択されるように、すなわち、並置されたゲートウェイを新しい方のＳ−ＧＷとして選択するために、ＵＥのデータゲートウェイが、ＵＥにサービスを提供するためにＳ−ＧＷとしての機能を果たすことができるかどうかが決定され、より遠い地理的なトポロジー距離を有するサービングゲートウェイを新しい方のサービングゲートウェイとして選択するために生じるユーザサービスデータ送信時間遅延の増加を減少させることができる。さらに、まず一時的なＳ−ＧＷを選択して、次いでデータゲートウェイがＵＥにサービスを提供するためにＳ−ＧＷとしての機能を果たすことができるかどうかを決定することによって、データゲートウェイがＵＥにサービスを提供するためにＳ−ＧＷとしての機能を果たすことができないとき、一時的なＳ−ＧＷを新しい方のＳ−ＧＷとして直接選択することができ、それによって、シグナリング処理を簡単にし、新しいＳ−ＧＷを新しい方のＳ−ＧＷとしてＤＮＳシステムから再び取得することを回避する。
【００８５】
図８は、本発明の実施形態によって提供されるデータゲートウェイの構造ブロック図を示している。データゲートウェイは、ＧＥＲＡＮ、ＵＴＲＡＮ、又はＥ−ＵＴＲＡＮなどの通信システムに配置され得、図５に示される方法を実行するように構成され得る。データゲートウェイは、Ｐ−ＧＷであり得、または、並置されたＧＧＳＮ／Ｐ−ＧＷであり得る。
【００８６】
図８を参照すると、データゲートウェイは、
決定要求を受信するように構成された受信ユニット８１であり、決定要求は、ユーザ機器ＵＥの新しい方のロケーションエリア識別情報を搬送する、受信ユニット８１と、
新しい方のロケーションエリア識別情報に従って、データゲートウェイがＵＥにサービスを提供するためにＳ−ＧＷとしての機能を果たすことができるかどうかを決定するように構成された決定ユニット８２と、
データゲートウェイがＵＥにサービスを提供するためにＳ−ＧＷとしての機能を果たすことができるとき、データゲートウェイのＩＰアドレス及びリソース識別情報を含む応答メッセージを送信するように構成された送信ユニット８３とを含む。
【００８７】
代替的に、送信ユニット８３は、データゲートウェイがＵＥにサービスを提供するためにＳ−ＧＷとしての機能を果たすことができないとき、データゲートウェイがＵＥにサービスを提供するためにＳ−ＧＷとしての機能を果たすことができないことを示す応答メッセージを送信するようにさらに構成される。
【００８８】
図８に示される実施形態のデータゲートウェイの動作メカニズムは、図５に示される実施形態に従ってサービングゲートウェイを取得するための方法の動作メカニズムと同じであり、ここではさらなる詳細は記載しない。  ＵＥにＳ−ＧＷサービスを提供することができるＵＥのデータゲートウェイが新しい方のＳ−ＧＷとして選択されるように、すなわち、並置されたゲートウェイを新しい方のＳ−ＧＷとして選択するために、図８に示される実施形態のデータゲートウェイが、それ自体がＵＥにサービスを提供するためにＳ−ＧＷとしての機能を果たすことができるかどうかを決定し、より遠い地理的なトポロジー距離を有するサービングゲートウェイを新しい方のサービングゲートウェイとして選択するために生じるユーザサービスデータ送信時間遅延の増加を減少させることができる。
【００８９】
本発明の実施形態は、図９に示されるように、移動管理ノード９１及びＤＮＳサーバ９２を含む、サービングゲートウェイを取得するためのシステムをさらに提供する。移動管理ノード９１は、図２に示される移動管理ノードである。  図９に示されるシステムの動作方法は、図１に示される方法の動作方法と同じであり、ここではさらなる詳細は記載しない。本システムでは、データゲートウェイのホスト名、又はＵＥの古い方の移動管理ノードがアクセス情報を通じて照会され、ＵＥのデータゲートウェイ又はＵＥの古い方の移動管理ノードに地理的トポロジー上最も近いサービングゲートウェイが、ホスト名を通じて新しい方のサービングゲートウェイとして選択され、したがって、より遠い地理的なトポロジー距離を有するサービングゲートウェイを新しい方のサービングゲートウェイとして選択するために生じるユーザサービスデータ送信時間遅延の増加を減少させることができる。
【００９０】
本発明の実施形態は、図１０に示されるように、移動管理ノード１００１及びＤＮＳサーバ１００２を含む、サービングゲートウェイを取得するためのシステムをさらに提供する。移動管理ノード１００１は図６に示される移動管理ノードであり、データゲートウェイ１００２は図８に示されるデータゲートウェイである。図１０に示されるシステムの動作方法は、図３に示される方法の動作方法と同じであり、ここではさらなる詳細は記載しない。本システムでは、ＵＥにＳ−ＧＷサービスを提供することができるＵＥのデータゲートウェイが新しい方のＳ−ＧＷとして選択されるように、すなわち、並置されたゲートウェイを新しい方のＳ−ＧＷとして選択するために、ＵＥのデータゲートウェイが、ＵＥにサービスを提供するためにＳ−ＧＷとしての機能を果たすことができるかどうかが決定され、より遠い地理的なトポロジー距離を有するサービングゲートウェイを新しい方のサービングゲートウェイとして選択するために生じるユーザサービスデータ送信時間遅延の増加を減少させることができる。
【００９１】
本発明の実施形態は、図１１に示されるように、移動管理ノード１１０１及びＤＮＳサーバ１１０２を含む、サービングゲートウェイを取得するためのシステムをさらに提供する。サービングゲートウェイ１１０１は図７に示されるサービングゲートウェイであり、データゲートウェイ１１０２は図８に示されるデータゲートウェイである。図１１に示されるシステムの動作方法は、図４に示される方法の動作方法と同じであり、ここではさらなる詳細は記載しない。本システムでは、ＵＥにＳ−ＧＷサービスを提供することができるＵＥのデータゲートウェイが新しい方のＳ−ＧＷとして選択されるように、すなわち、並置されたゲートウェイを新しい方のＳ−ＧＷとして選択するために、ＵＥのデータゲートウェイが、ＵＥにサービスを提供するためにＳ−ＧＷとしての機能を果たすことができるかどうかが決定され、より遠い地理的なトポロジー距離を有するサービングゲートウェイを新しい方のサービングゲートウェイとして選択するために生じるユーザサービスデータ送信時間遅延の増加を減少させることができる。さらに、まず一時的なＳ−ＧＷを選択して、次いでデータゲートウェイがＵＥにサービスを提供するためにＳ−ＧＷとしての機能を果たすことができるかどうかを決定することによって、データゲートウェイがＵＥにサービスを提供するためにＳ−ＧＷとしての機能を果たすことができないとき、一時的なＳ−ＧＷを新しい方のＳ−ＧＷとして直接選択することができ、それによって、シグナリング処理を簡単にし、新しいＳ−ＧＷを新しい方のＳ−ＧＷとしてＤＮＳシステムから再び取得することを回避する。
【００９２】
添付の図面はある実施形態の概略図にすぎず、添付の図面におけるモジュール又は処理は、本発明を実装するために必ずしも必要ではないことが、当業者によって理解されるべきである。
【００９３】
ある実施形態による装置におけるモジュールは、本実施形態の記述による実施形態の装置において分散され得、又はそれに対応して、この実施形態とは異なる１つ又は複数の装置に配置されるように変更され得ることが、当業者によって理解されるべきである。上記の実施形態のモジュールは、１つのモジュールに組み合わされ得、又は複数のサブモジュールにさらに分割され得る。
【００９４】
当業者は、本発明の実施形態による方法のステップのすべて又は一部は、関連ハードウェアに命令するプログラムによって実装され得ることを理解するべきである。プログラムは、コンピュータ可読記憶媒体に格納され得る。プログラムが実行されるとき、本発明の実施形態による方法のステップが実行される。記憶媒体は、ＲＯＭ、ＲＡＭ、磁気ディスク、又は光ディスクなどの、プログラムコードを格納することができる任意の媒体であり得る。
【００９５】
最後に、上記の実施形態は、本発明の技術的ソリューションを説明するために提供されているにすぎず、本発明を限定することを意図するものではない点に留意されたい。実施形態を参照して本発明を詳細に説明してきたが、修正又は置換が本発明の趣旨及び範囲から逸脱しない限り、実施形態において説明した技術的ソリューションに修正が行われ得、又は、技術的ソリューションにおける何らかの技術的特徴に同等の置換が行われ得ることが、当業者によって理解されるべきである。
【図１】
0005947982.tif 000002
【図２】
0005947982.tif 000003
【図３】
0005947982.tif 000004
【図４】
0005947982.tif 000005
【図５】
0005947982.tif 000006
【図６】
0005947982.tif 000007
【図７】
0005947982.tif 000008
【図８】
0005947982.tif 000009
【図９】
0005947982.tif 000010
【図１０】
0005947982.tif 000011
【図１１】
0005947982.tif 000012